(57)【要約】【課題】昇降装置を配線器具に取付金具を付けることなく直接取付けることができ、昇降装置の横揺れを防止でき、しかも天井を傷つけない昇降式照明器具を提供する。【解決手段】配線器具１に引っ掛ける引掛爪８を上面１ａに有し電源線４を下面１ｂより引き出した引掛シーリングキャップ１と、引掛シーリングキャップ１を支持する支持片９を有し支持片９に連続した取付片１０を有しかつ支持片９に電源線４を挿通する挿通孔１１を有する取付具２と、この取付具２の取付片１０を取付けた昇降装置３と、この昇降装置３に取付けられて支持片９に引掛シーリングキャップ１の下面が当接するように電源線４を支持片９より側方へ引出した状態で張力止めする張力止め具５と、昇降装置３の吊下索条１３に昇降自在に吊下げられるとともに電源線４の下端を接続した器具本体６とを備えている。【選択図】  図１
2004319154.tif 000002
【特許請求の範囲】
【請求項１】
配線器具に引っ掛ける引掛爪を上面に有し電源線を下面より引き出した引掛シーリングキャップと、前記引掛シーリングキャップを支持する支持片を有し前記支持片に対して段差をなすように前記支持片に連続した取付片を有しかつ前記支持片に前記電源線を挿通する挿通孔を有する取付具と、この取付具の前記取付片を取付けた昇降装置と、この昇降装置に取付けられて前記支持片に前記引掛シーリングキャップの下面が当接するように前記電源線を前記支持片より側方へ引出した状態で張力止めする張力止め具と、前記昇降装置の吊下索条に昇降自在に吊下られるとともに前記電源線の下端を接続した器具本体とを備えた昇降式照明器具。
【請求項２】
前記昇降装置に取付けられて前記昇降装置を被覆する筒状の固定フランジと、この固定フランジに嵌合して伸縮自在に天井または前記配線器具との間の隙間を塞ぐ可動フランジとを有する請求項１記載の昇降式照明器具。
【請求項３】
前記可動フランジの内周に凹凸係合部が形成され、前記固定フランジの上端に前記凹凸係合部に係合する爪を有する請求項２記載の昇降式照明器具。
【請求項４】
前記固定フランジと前記可動フランジとの間に前記可動フランジを前記天井または前記配線器具に押しつけるばねが介在されている請求項２記載の昇降式照明器具。
【発明の詳細な説明】
【０００１】
【発明の属する技術分野】
この発明は、昇降装置によって器具の高さを容易に可変できる機能をもった、例えばコード吊り下げ型の昇降式照明器具に関するものである。
【０００２】
【従来の技術】
従来例を図７および図８に示す。第１の従来例は、図７に示すように、昇降装置５０を配線器具５１とは別の場所の天井５２に木ねじ５３で取り付けている。５４は引掛シーリングキャップ、５５は電源線、５６は照明器具本体である。
【０００３】
第２の従来例は、昇降装置５０を配線器具５１の取付金具５７に引っ掛ける場合である。例えば図８に示すように、配線器具５１の近辺の天井５２に木ねじ５８で取付けた取付金具５７に、昇降装置５０を引掛けて取付けている。
【０００４】
第３の従来例として、昇降装置を引掛シーリングキャップの引掛爪により電気的機械的に係合して接続することが開示されている（特許文献１参照）。
【０００５】
【特許文献】
特開２００２−１０９９４８（段落００４５）
【０００６】
【発明が解決しようとする課題】
第１の従来例は、昇降装置５０を取付ける木ねじ５３により天井５２に傷をつけてしまうという欠点がある。
【０００７】
第２の従来例は、取付金具５７を天井５２に木ねじ５８で固定する必要がある。また取付金具５７を配線器具５１に取付けるものでは、取付金具５７がない場合は配線器具５１を一度天井から外して取付金具５７を設置する必要がある。
【０００８】
第３の従来例は、電源線で昇降装置を吊持するため、配線器具への直付けが困難であり、照明器具の昇降の際に昇降装置が横揺れして不安定になるとともに、昇降装置の横揺れにともなって引掛シーリングキャップが配線器具から外れやすくなる可能性がある。
【０００９】
したがって、この発明の目的は、昇降装置を配線器具に取付金具を付けることなく直接取付けることができ、昇降装置の横揺れを防止でき、しかも天井を傷つけない昇降式照明器具を提供することである。
【００１０】
【課題を解決するための手段】
請求項１記載の昇降式照明器具は、配線器具に引っ掛ける引掛爪を上面に有し電源線を下面より引き出した引掛シーリングキャップと、前記引掛シーリングキャップを支持する支持片を有し前記支持片に対して段差をなすように前記支持片に連続した取付片を有しかつ前記支持片に前記電源線を挿通する挿通孔を有する取付具と、この取付具の前記取付片を取付けた昇降装置と、この昇降装置に取付けられて前記支持片に前記引掛シーリングキャップの下面が当接するように前記電源線を前記支持片より側方へ引出した状態で張力止めする張力止め具と、前記昇降装置の吊下索条に昇降自在に吊下られるとともに前記電源線の下端を接続した器具本体とを備えたものである。
【００１１】
請求項１記載の昇降式照明器具によれば、取付具とこの取付具から引き回した電源線とこの電源線の張力止め具とにより、引掛シーリングキャップを昇降装置に固定することができるため、従来と比較して、昇降装置を既設の配線器具に取付金具を付けることなく直接取付けることができ、簡易施工になるとともに、昇降装置の横揺れを防止でき、しかも天井を傷つけない。また電源線を短縮でき、コスト低減になる。
【００１２】
請求項２記載の昇降式照明器具は、請求項１において、前記昇降装置に取付けられて前記昇降装置を被覆する筒状の固定フランジと、この固定フランジに嵌合して伸縮自在に天井または前記配線器具との間の隙間を塞ぐ可動フランジとを有するものである。
【００１３】
請求項２記載の昇降式照明器具によれば、請求項１と同様な効果のほか、配線器具の高さ違いを吸収して、内部の昇降装置を常に覆い隠すことができ、外嵌を損なわない。
【００１４】
請求項３記載の昇降式照明器具は、請求項２において、前記可動フランジの内周に凹凸係合部が形成され、前記固定フランジの上端に前記凹凸係合部に係合する爪を有するものである。
【００１５】
請求項３記載の昇降式照明器具によれば、請求項２と同様な効果がある。
【００１６】
請求項４記載の昇降式照明器具は、請求項２において、前記固定フランジと前記可動フランジとの間に前記可動フランジを前記天井または前記配線器具に押しつけるばねが介在されているものである。
【００１７】
請求項４記載の昇降式照明器具によれば、請求項２と同様な効果のほか、昇降の斜め操作においても、フランジ内のばねの反発により天井または配線器具と可動フランジの間の隙間が自然に塞がれる。
【００１８】
【発明の実施の形態】
この発明の第１の実施の形態の図１から図５に基づいて説明する。すなわち、この昇降式照明器具は、引掛シーリングキャップ１と、取付具２と、昇降装置３と、張力止め具５と、器具本体６を有する。
【００１９】
引掛シーリングキャップ１は、例えば天井１９に取付けられた既設の、配線器具７に引っ掛ける引掛爪８を上面１ａに有し電源線４を下面１ｂより引き出している。実施の形態では既存の引掛シーリングキャップ１を使用している。電源線４は電源線の一部を構成している伸縮コード２８を接続具２９により接続し、器具本体６に吊下している。
【００２０】
取付具２は、引掛シーリングキャップ１を支持する支持片９を有し、支持片９に対して段差をなすように支持片９に連続した取付片１０を有し、かつ支持片９に電源線４を挿通する挿通孔１１を有する。実施の形態では略ハット形または略逆Ｕ字形の金属板を用い、その中央片を支持片９とし、両端片を取付片１０としている。１０ａは取付具挿通孔である。
【００２１】
昇降装置３は、取付具２の取付片１０を例えばねじ等の連結具１４により挿通孔１０ａを通して取付けている。昇降装置３の吊下索条１３は例えばワイヤである。図３は器具本体６を上昇した状態、図４は器具本体６を下降した状態である。
【００２２】
張力止め具５は、昇降装置３に取付けられて支持片９に引掛シーリングキャップ１の下面１ｂが当接するように電源線４を支持片９より側方へ引出した状態で張力止めする。実施の形態では、張力止め具５を昇降装置３の正面に例えばねじ１５により取付け、電源線４を取付具２の挿通孔１１から支持片９の下面側より昇降装置３の背面側に引出し、さらに昇降装置３の側面に引き回して張力止め具５に張力止めされている。これにより、引掛シーリングキャップ１が昇降装置３に固定される。したがって、引掛シーリングキャップ１と昇降装置３が一体のため引掛シーリングキャップ１を配線器具７に引っ掛けることにより、配線器具７に昇降装置３が直接取付けできることとなる。
【００２３】
器具本体６は、昇降装置３の吊下索条１３に昇降自在に吊下られるとともに電源線４の下端を接続している。実施の形態ではセード付２灯環形蛍光灯用であり、中心下面より昇降のための筒状の把手１６を垂下し、把手１６を通してスイッチ用の引き紐３０を吊下している。
【００２４】
また、実施の形態では、昇降装置３を被覆する筒状の固定フランジ１７と、この固定フランジ１７に嵌合して天井１９との間の隙間を塞ぐ可動フランジ１８とを有する。固定フランジ１７と可動フランジ１８との間にばね２１が介在されている。詳しく説明すると、固定フランジ１７の下端部を昇降装置３の下端部に取付ける取付部２２を固定フランジ１７の下端部に設けている。可動フランジ１８は固定フランジ１７に伸縮自在に外嵌し、固定フランジ１７の内側にばね支持部２３を延出し、固定フランジ１７の内側にばね支持部２３に対向するばね受け部２４を設け、ばね支持部２３とばね受け部２４との間にばね２１、例えば圧縮コイルばねを圧縮介在し、可動フランジ１８を押し上げるように付勢している。このため、可動フランジ１８はばね２１により配線器具７に合わせて天井１９との隙間を塞ぐように自然に可動し、昇降の斜め操作においても、フランジ内のばね２１の反発により天井とフランジの間の隙間が自然に塞がれる。
【００２５】
図５（ａ）はこの実施の形態の配線器具７が角型引掛シーリング、丸型引掛シーリング、丸型フル引掛シーリングの場合であり、天井１９からの高さが高い例である。可動フランジ１８は天井１９に当接し、可動フランジ１８のほぼ下端部に固定フランジ１７の上端部が位置する。ここで、配線器具７の最大高さ（例えば２３ｍｍ）の時に昇降装置４が外観に現れない寸法にフランジの高さを設定する。
【００２６】
図５（ｂ）は配線器具７がフル引掛ローゼットの場合であり、図５（ａ）よりも若干低いが可動フランジ１８は引掛ローゼットの段部に当接し、可動フランジ１８の中間部に固定フランジ１７の上端部が位置し、ばね２１は若干圧縮されている。図５（ｃ）は埋込ローゼットの場合であり、昇降装置の天井までの高さが低い例である。可動フランジ１８が配線器具７の下面に当接し、可動フランジ１８の上端部に固定フランジ１７の上端部が位置し、ばね２１はもっとも圧縮されている。
【００２７】
このように、可動フランジ１８が配線器具７の種類に応じてフランジ高さを変動でき、各種の配線器具７に対して天井１９などとの隙間をなくすことができ、外観性が向上する。そして引掛シーリングキャップ１と昇降装置３が一体構造のため電源線４の長さを短くすることができ、コスト低減になる。
【００２８】
この発明の第２の実施の形態を図６により説明する。第１の実施の形態において、固定フランジ１７に可動フランジ１８が外嵌し、ばね２１に代えて、可動フランジ１８の内周に凹凸係合部２６が形成され、可動フランジ１８の上端に凹凸係合部２６に係合する爪２７を有するものである。凹凸係合部２６は例えばローレットにより形成している。可動フランジ１８を固定フランジ１７に対して伸縮するときはユーザが手動により、爪２７と凹凸係合部２６との係合または離脱を操作する。
【００２９】
図６（ａ）は配線器具７が図５（ａ）と同じであり、図６（ｂ）は配線器具７が図５（ｂ）と同じ、図６（ｃ）は配線器具７が図５（ｃ）と同じである。各場合について、可動フランジ１８により配線器具７の種類に応じてフランジ高さを変動でき、各種の配線器具７に対して天井などとの隙間をなくすことができ、外観性が向上する。
【００３０】
なお、この発明において、取付具２は金属板の略ハット形に限らず、例えば略Ｚ字形でもよい。また、可動フランジ１８は固定フランジ１７の内側に嵌合してもよい。
【００３１】
【発明の効果】
請求項１記載の昇降式照明器具によれば、取付具とこの取付具から引き回した電源線とこの電源線の張力止め具とにより、引掛シーリングキャップを昇降装置に固定することができるため、従来と比較して、昇降装置を既設の配線器具に取付金具を付けることなく直接取付けることができ、簡易施工になるとともに、昇降装置の横揺れを防止でき、しかも天井を傷つけない。また電源線を短縮でき、コスト低減になる。
【００３２】
請求項２記載の昇降式照明器具によれば、請求項１と同様な効果のほか、配線器具の高さ違いを吸収して、内部の昇降装置を常に覆い隠すことができ、外嵌を損なわない。
【００３３】
請求項３記載の昇降式照明器具によれば、請求項２と同様な効果がある。
【００３４】
請求項４記載の昇降式照明器具によれば、請求項２と同様な効果のほか、昇降の斜め操作においても、フランジ内のばねの反発により天井または配線器具と可動フランジの間の隙間が自然に塞がれる。
【図面の簡単な説明】
【図１】この発明の第１の実施の形態の主に昇降装置の部分を示し、（ａ）は正面図、（ｂ）は側面図、（ｃ）は背面図である。
【図２】取付具の斜視図である。
【図３】照明器具の上昇状態の半断面正面図である。
【図４】照明器具の下降状態の半断面正面図である。
【図５】それぞれ異なる配線器具に引掛シーリングキャップを引っ掛けた昇降装置を示す半断面図である。
【図６】それぞれ異なる配線器具に引掛シーリングキャップを引っ掛けた、第２の実施の形態における昇降装置の半断面図である。
【図７】第１の従来例の断面図である。
【図８】第２の従来例の正面図である。
【符号の説明】
１    引掛シーリングキャップ
２    取付具
３    昇降装置
４    電源線
５    張力止め具
６    器具本体
７    配線器具
８    引掛爪
９    支持片
１０    取付片
１１    挿通孔
１３    吊下索条
１７    固定フランジ
１８    可動フランジ
１９    天井
２６    凹凸係合部
２７    爪
【図１】
2004319154.tif 000003
【図２】
2004319154.tif 000004
【図３】
2004319154.tif 000005
【図４】
2004319154.tif 000006
【図５】
2004319154.tif 000007
【図６】
2004319154.tif 000008
【図７】
2004319154.tif 000009
【図８】
2004319154.tif 000010